(57)【要約】【課題】インクジェット記録等の方法により普通紙やインクジェット専用紙に記録した場合に、印字品位が良好であると共に記録画像の濃度、彩度、色調に優れ、とりわけ耐光性や耐オゾン性が良好な記録画像を形成し得る色素及び記録液を提供する。【解決手段】少なくとも水と水溶性色素とを含む記録液であって、該水溶性色素が下記一般式（１）で表される、自己組織化可能型色素である記録液。    ＤＹＥ−（ＳＴＲ）ｎ      …（１）（式中、ＤＹＥは、上式ＳＴＲの代わりに水素原子が結合した場合、水に実質的に可溶な、アゾ基不含のｎ価の色素残基であり、ＳＴＲは水に実質的に不溶な総炭素数２個以上の疎水性残基であり、ｎは１以上の整数であり、ｎが２以上の場合、複数あるＳＴＲは、互いに同一であっても良く、異なっていても良い。）【選択図】なし【特許請求の範囲】
【請求項１】
少なくとも水と水溶性色素とを含む記録液であって、該水溶性色素が下記一般式（１）で表される、自己組織化可能型色素であることを特徴とする記録液。
ＤＹＥ−（ＳＴＲ）ｎ      …（１）
（式中、ＤＹＥは、上式ＳＴＲの代わりに水素原子が結合した場合、水に実質的に可溶な、アゾ基不含のｎ価の色素残基であり、
ＳＴＲは水に実質的に不溶な総炭素数２個以上の疎水性残基であり、
ｎは１以上の整数であり、
ｎが２以上の場合、複数あるＳＴＲは、互いに同一であっても良く、異なっていても良い。）
【請求項２】
前記水溶性色素が下記一般式（２）で表されることを特徴とする請求項１に記載の記録液。
【化１】
2006124475.tif 000011
（式中、ＡＰは置換されていても良いアントラピリドン骨格含有残基を表し、
Ｓｏｌは水中での解離定数（ｐＫａ値）が−１０以上５以下である解離性基を表し、
ｒは２〜１０の整数を表し、
Ｌは酸素原子、硫黄原子、又は−ＮＲ１−を表し、Ｒ１は水素原子、置換されていても良い、炭素数１〜４のアルキル基、又は置換されていても良い、炭素数２〜４のアルケニル基を表し、
ＸとＹは各々独立に、−ＮＲ２Ｒ３、−ＯＲ４、又は−ＳＲ５を表し、Ｒ２〜Ｒ５は各々独立に、水素原子、置換されていても良いアルキル基、置換されていても良いアルケニル基、置換されていても良いアリール基、又は置換されていても良い複素環基を表すが、Ｒ２〜Ｒ５に水中での解離定数（ｐＫａ値）が−１０以上５以下である解離性基は存在せず、またＸ又はＹを通じて更に１個のＡＰで表される残基が結合することは無く、
更にＡＰは、一般式（２）中に明記されたトリアジン部位以外にも、前記ＳＴＲで表される疎水性残基を有していても良い。）
【請求項３】
前記水溶性色素が下記一般式（３）で表されることを特徴とする請求項２に記載の記録液。
【化２】
2006124475.tif 000012
（式中、Ｒは水素原子、置換されていても良い、炭素数１〜４のアルキル基、又は置換されていても良い、炭素数２〜４のアルケニル基を表し、
ｓ，ｔは各々独立に１〜４の整数を表し、
Ａｒ１，Ａｒ２は各々独立に、アリール基もしくはヘテリル基を表す。
Ｓｏｌ，Ｌ，Ｘ，Ｙは、一般式（２）におけると同義である。）
【請求項４】
前記水溶性色素が、遊離酸の形で下記一般式（４）で表されることを特徴とする請求項３に記載の記録液。
【化３】
2006124475.tif 000013
（式中、Ｘ，Ｙは、一般式（２）におけると同義である。）
【請求項５】
請求項１ないし４のいずれか１項に記載の記録液を含むことを特徴とする記録液セット。
【請求項６】
請求項１ないし４のいずれか１項に記載の記録液又は請求項５に記載の記録液セットを使用することを特徴とする記録方法。
【請求項７】
インクジェット記録であることを特徴とする請求項６に記載の記録方法。
【請求項８】
請求項１ないし４のいずれか１項に記載の記録液が充填されてなることを特徴とするインクカートリッジ。
【請求項９】
請求項１ないし４のいずれか１項に記載の記録液又は請求項５に記載の記録液セットが装填されてなることを特徴とするインクジェットプリンター。
【請求項１０】
画像が印刷されてなる紙であって、下記一般式（１）で表される水溶性色素を含むことを特徴とする紙。
ＤＹＥ−（ＳＴＲ）ｎ      …（１）
（式中、ＤＹＥは、上式ＳＴＲの代わりに水素原子が結合した場合、水に実質的に可溶な、アゾ基不含のｎ価の色素残基であり、
ＳＴＲは水に実質的に不溶な総炭素数２個以上の疎水性残基であり、
ｎは１以上の整数であり、
ｎが２以上の場合、複数あるＳＴＲは、互いに同一であっても良く、異なっていても良い。）
【請求項１１】
下記一般式（３）で表されることを特徴とする水溶性色素。
【化４】
2006124475.tif 000014
（式中、Ｒは水素原子、置換されていても良い、炭素数１〜４のアルキル基、又は置換されていても良い、炭素数２〜４のアルケニル基を表し、
ｓ，ｔは各々独立に１〜４の整数を表し、
Ａｒ１，Ａｒ２は各々独立に、アリール基もしくはヘテリル基を表し、
Ｓｏｌは水中での解離定数（ｐＫａ値）が−１０以上５以下である解離性基を表し、
Ｌは酸素原子、硫黄原子、又は−ＮＲ１−を表し、Ｒ１は水素原子、置換されていても良い、炭素数１〜４のアルキル基、又は置換されていても良い、炭素数２〜４のアルケニル基を表し、
ＸとＹは各々独立に、−ＮＲ２Ｒ３、−ＯＲ４、又は−ＳＲ５を表し、Ｒ２〜Ｒ５は各々独立に、水素原子、置換されていても良いアルキル基、置換されていても良いアルケニル基、置換されていても良いアリール基、又は置換されていても良い複素環基を表すが、Ｒ２〜Ｒ５に水中での解離定数（ｐＫａ値）が−１０以上５以下である解離性基は存在せず、またＸ又はＹを通じて更に１個の、置換されていても良いアントラピリドン骨格含有残基が結合することは無い。）
【請求項１２】
遊離酸の形で下記一般式（４）で表されることを特徴とする水溶性色素。
【化５】
2006124475.tif 000015
（式中、ＸとＹは各々独立に、−ＮＲ２Ｒ３、−ＯＲ４、又は−ＳＲ５を表し、Ｒ２〜Ｒ５は各々独立に、水素原子、置換されていても良いアルキル基、置換されていても良いアルケニル基、置換されていても良いアリール基、又は置換されていても良い複素環基を表すが、Ｒ２〜Ｒ５に水中での解離定数（ｐＫａ値）が−１０以上５以下である解離性基は存在せず、またＸ又はＹを通じて更に１個の、置換されていても良いアントラピリドン骨格含有残基が結合することは無い。）
【発明の詳細な説明】
【技術分野】
【０００１】
本発明は、水溶性色素、記録液、及びその利用に関するものである。
【背景技術】
【０００２】
直接染料や酸性染料等の水溶性染料を含む記録液の液滴を微小な吐出オリフィスから飛翔させて記録を行う、いわゆるインクジェット記録方法が実用化されている。インクジェット記録に用いられる記録液に関しては、電子写真用紙のＰＰＣ（プレインペーパーコピア）用紙、ファンホールド紙（コンピューター等の連続用紙）等の一般事務用に汎用される記録紙に対する定着が速く、しかも印字物の印字品位が良好であること、即ち印字ににじみがなく輪郭がはっきりしていることが要求されると共に、記録液としての保存時の安定性も優れていることが必要であり、従って使用できる溶剤が著しく制限される。
【０００３】
一方、記録液用の染料に関しては、上記のような限られた溶剤に対して充分な溶解性を有すると共に、記録液として長期間保存した場合にも安定であり、また印字された画像の濃度、色相、彩度に優れ、しかも耐水性、耐光性に優れていること等が要求されるが、これ等の多くの要求を同時に満足させることは困難であった。
【０００４】
更に昨今、インクジェット写真画質画像の高精細化によるインクジェット記録の社会への更なる浸透に伴い、インクジェット画像への市場の要求は更に高まった。とりわけ、インクジェット専用光沢紙や専用葉書等の上に美しい写真ライクな画像をプリントし、得られた画像を掲示して鑑賞するといった用途の拡大に伴い、空気中のオゾンや窒素酸化物、硫黄酸化物等いわゆる酸化活性ガスによる、インクジェット画像劣化挙動の改善、換言すれば画像の耐ガス性をより向上させることがより強く求められるようになってきていた。
【０００５】
従来、インクジェット記録において、彩度と堅牢性を両立するマゼンタの色素として、アントラピリドン系色素を用いることが知られている（例えば、特許文献１〜８参照）。しかし、堅牢性、とりわけ耐光性と耐ガス性をより高いレベルで両立するとの課題は解決されておらず、現在汎用されているマゼンタ色素を含む特許文献１〜８に具体的に例示された色素等では、近年の画像の耐ガス性の要求に必ずしも十分答えられてはいなかった。
【０００６】
なお、耐ガス性は、一定濃度のオゾン含有空気にインクジェット画像を曝露し、これに伴う退色度合いを尺度として定量されることが一般的である。従って、本発明においても耐ガス性の評価にはオゾン曝露試験を用い、併せて本発明においては以後、上述の耐ガス性を耐オゾン性と称することとする。
【特許文献１】特開昭５９−７４１７３号公報（１−３ページ）
【特許文献２】特開平２−１６１７１号公報（１、５−７ページ）
【特許文献３】特開２０００−１０９４６４号公報（１−２、８−１２ページ）
【特許文献４】特開２０００−１６９７７６号公報（１−２、６−９ページ）
【特許文献５】特開２０００−１９１６６０号公報（１−３、１１−１４ページ）
【特許文献６】特開２００１−７２８８４号公報（１−２、８−１１ページ）
【特許文献７】特開２００１−１３９８３６号公報（１−２、７−１２ページ）
【特許文献８】特開２００３−１９２９３０号公報（１−４、１５−１８ページ）
【発明の開示】
【発明が解決しようとする課題】
【０００７】
本発明は、インクジェット記録等の方法により普通紙やインクジェット専用紙に記録した場合に、印字品位が良好であると共に記録画像の濃度、彩度、色調にすぐれ、とりわけ耐光性や耐オゾン性も良好な記録画像を形成し得る水溶性色素及び記録液を提供することを目的とするものである。
【０００８】
本発明はまた、このような記録液を用いた記録液セット、記録方法、インクカートリッジ、インクジェットプリンター及び紙を提供することを目的とする。
【課題を解決するための手段】
【０００９】
本発明者らは、検討の結果、記録液成分として特定の水溶性色素を使用した場合に、上記の目的が達成されることを確認し、本発明を達成したものである。
【００１０】
即ち、本発明の要旨は、少なくとも水と水溶性色素とを含む記録液であって、該水溶性色素が下記一般式（１）で表される、自己組織化可能型色素であることを特徴とする記録液、に存する（請求項１）。  
ＤＹＥ−（ＳＴＲ）ｎ      …（１）
（式中、ＤＹＥは、上式ＳＴＲの代わりに水素原子が結合した場合、水に実質的に可溶な、アゾ基不含のｎ価の色素残基であり、
ＳＴＲは水に実質的に不溶な総炭素数２個以上の疎水性残基であり、
ｎは１以上の整数であり、
ｎが２以上の場合、複数あるＳＴＲは、互いに同一であっても良く、異なっていても良い。）
【００１１】
また、本発明の別の要旨は、前記水溶性色素が下記一般式（２）で表されることを特徴とする請求項１に記載の記録液、に存する（請求項２）。
【化６】
2006124475.tif 000002
（式中、ＡＰは置換されていても良いアントラピリドン骨格含有残基を表し、
Ｓｏｌは水中での解離定数（ｐＫａ値）が−１０以上５以下である解離性基を表し、
ｒは２〜１０の整数を表し、
Ｌは酸素原子、硫黄原子、又は−ＮＲ１−を表し、Ｒ１は水素原子、置換されていても良い、炭素数１〜４のアルキル基、又は置換されていても良い、炭素数２〜４のアルケニル基を表し、
ＸとＹは各々独立に、−ＮＲ２Ｒ３、−ＯＲ４、又は−ＳＲ５を表し、Ｒ２〜Ｒ５は各々独立に、水素原子、置換されていても良いアルキル基、置換されていても良いアルケニル基、置換されていても良いアリール基、又は置換されていても良い複素環基を表すが、Ｒ２〜Ｒ５に水中での解離定数（ｐＫａ値）が−１０以上５以下である解離性基は存在せず、またＸ又はＹを通じて更に１個のＡＰで表される残基が結合することは無く、
更にＡＰは、一般式（２）中に明記されたトリアジン部位以外にも、前記ＳＴＲで表される疎水性残基を有していても良い。）
【００１２】
また、本発明の別の要旨は、前記水溶性色素が下記一般式（３）で表されることを特徴とする請求項２に記載の記録液、に存する（請求項３）。
【化７】
2006124475.tif 000003
（式中、Ｒは水素原子、置換されていても良い、炭素数１〜４のアルキル基、又は置換されていても良い、炭素数２〜４のアルケニル基を表し、
ｓ，ｔは各々独立に１〜４の整数を表し、
Ａｒ１、Ａｒ２は各々独立に、アリール基もしくはヘテリル基を表す。
Ｓｏｌ，Ｌ，Ｘ，Ｙは、一般式（２）におけると同義である。）
【００１３】
また、本発明の別の要旨は、前記水溶性色素が、遊離酸の形で下記一般式（４）で表されることを特徴とする請求項３に記載の記録液、に存する（請求項４）。
【化８】
2006124475.tif 000004
（式中、Ｘ，Ｙは、一般式（２）におけると同義である。）
【００１４】
また、本発明の別の要旨は、請求項１ないし４のいずれか１項に記載の記録液を含むことを特徴とする記録液セット、に存する（請求項５）。
【００１５】
また、本発明の別の要旨は、請求項１ないし４のいずれか１項に記載の記録液又は請求項５に記載の記録液セットを使用することを特徴とする記録方法、に存する（請求項６）。
【００１６】
また、本発明の別の要旨は、インクジェット記録であることを特徴とする請求項６に記載の記録方法、に存する（請求項７）。
【００１７】
また、本発明の別の要旨は、請求項１ないし４のいずれか１項に記載の記録液が充填されてなることを特徴とするインクカートリッジ、に存する（請求項８）。
【００１８】
また、本発明の別の要旨は、請求項１ないし４のいずれか１項に記載の記録液又は請求項５に記載の記録液セットが装填されてなることを特徴とするインクジェットプリンター、に存する（請求項９）。
【００１９】
また、本発明の別の要旨は、画像が印刷されてなる紙であって、前記一般式（１）で表される水溶性色素を含むことを特徴とする紙、に存する（請求項１０）。
【００２０】
なお、本発明において、「画像」とは、文字、記号、絵、線分、図形等、すべての記録対象を包含するものである。
【００２１】
また、本発明の別の要旨は、前記一般式（３）で表されることを特徴とする水溶性色素、に存する（請求項１１）。
【００２２】
また、本発明の別の要旨は、遊離酸の形で前記一般式（４）で表されることを特徴とする水溶性色素、に存する（請求項１２）。
【発明の効果】
【００２３】
本発明によれば、インクジェット記録等の方法により普通紙やインクジェット専用紙に記録した場合に、印字品位が良好であると共に記録画像の濃度、彩度、色調に優れ、とりわけ耐光性や耐オゾン性が良好な記録画像を形成することができる。
【発明を実施するための最良の形態】
【００２４】
以下に本発明の水溶性色素、記録液、及びその利用の実施の形態を詳細に説明する。
【００２５】
［一般式（１）で表される水溶性色素］
まず、本発明の記録液に含有される、下記一般式（１）で表される水溶性色素について説明する。
ＤＹＥ−（ＳＴＲ）ｎ      …（１）
（式中、ＤＹＥは、上式ＳＴＲの代わりに水素原子が結合した場合、水に実質的に可溶な、アゾ基不含のｎ価の色素残基であり、
ＳＴＲは水に実質的に不溶な総炭素数２個以上の疎水性残基であり、
ｎは１以上の整数であり、
ｎが２以上の場合、複数あるＳＴＲは、互いに同一であっても良く、異なっていても良い。）
【００２６】
（Ａ）ＤＹＥとＳＴＲ
以下、本発明に係る自己組織化可能型色素について説明する。
【００２７】
本色素は、水溶性に富み且つ平板な構造を有する水溶性基含有縮合環色素部分（ＤＹＥ）と、ＤＹＥを積層させる作用を持つ積層凝集促進基部分（ＳＴＲ）とが結合してなる構造を有する。そして、本色素は、水溶性に富むＤＹＥを有するので水系媒体によく溶けインク詰まりなどが起こりにくく、かつＤＹＥを積層させる作用を持つＳＴＲを有するので、水系媒体中及び印字物上において自己組織化によりミクロな顔料的凝集構造を形成でき、ひいては堅牢性が向上した印字物が得られる利点がある。
【００２８】
本色素が水系媒体に溶解する機構は、確認されてはいないが、以下のように推定される。水溶性基を持つＤＹＥは水和されやすく水中に単分子拡散しようとするが、疎水性のＳＴＲは水に溶けにくいためＳＴＲ同士は凝集構造をとりやすいと考えられる。その結果、ＳＴＲ同士のミクロ凝集につられる形で、複数分子のＤＹＥ同士が水和し溶解しつつも近傍に存在しあう、ミクロ構造を取り得ると思われる。
【００２９】
更に、本色素を用いてインクジェット記録を行うと、被記録物上では色素同士はより積層し凝集が進むが、ＤＹＥ部分が水溶性を有するため顔料や水不溶性染料ほど大きな凝集体にはならないと考えられ、結果として、水溶性色素の長所（目詰まりしにくさ、彩度や透明性の高さ）を維持しつつ、従来の染料に比しより改善された堅牢性を発揮するとものと思われる。
【００３０】
従って、本色素は、従来トレードオフとされ両立が困難であった高い水溶性と印字物の高い堅牢性とを併せ持つので、本色素及びこれを用いた記録液によれば、記録時のインク詰まりがなく、かつ印字物の彩度や透明性が高く、堅牢性も高い優れた記録を行うことができる利点がある。
【００３１】
本発明において、水溶性基含有縮合環色素部分（ＤＹＥ）としては、水溶性に富み、かつ、ＳＴＲによる作用があった際には、記録液中でもある程度積層構造を取ることができ、印字後に記録液の水が蒸散する際にはより積極的に積層構造を取り易い性質を持つことが望ましい。このような性質を有している限りＤＹＥの構造は特に限定されないが、好ましくは水溶性基含有の平板な色素であり、アゾ色素のような屈曲性に富む色素は不適当である。
【００３２】
また、積層凝集促進基部分（ＳＴＲ）としては、疎水性に富み、水中で、ＳＴＲ同士で積層凝集構造をとりやすく、結果としてＤＹＥ部分の積層凝集を誘起する性質を持つことが望ましい。このような性質を有している限りＳＴＲの構造は特に限定されないが、疎水性であり、かつ積層しやすい構造であることが望ましいため、直鎖や分枝のアルキル基等に比べると、環状の残基、とりわけ芳香性を有する残基が好ましい。
【００３３】
上記一般式（１）において、ＤＹＥで表されるアゾ基不含の色素残基の種類には制限は無く、種々の縮合環系色素残基や複数の芳香環や芳香族複素環が結合したメチン系色素残基等が挙げられるが、中でも縮合環系色素残基であることが望ましい。ここで縮合環系色素残基の例としては、アントラピリドン系の色素残基、アントラキノン系の色素残基、ジオキサジン系の色素残基、カルボインジゴ系の色素残基、チオインジゴ系の色素残基、フタロペリノン系の色素残基、ピラン系の色素残基、フラン系の色素残基、チアジン系の色素残基、ペリミドン系の色素残基、ペリノン系の色素残基、キノフタロン系の色素残基、フェノキサジン系の色素残基、キサンテン系の色素残基、チオキサンテン系の色素残基、アザチオキサンテン系の色素残基、が挙げられるが、中でもアントラキノン系の色素残基、アントラピリドン系の色素残基、ジオキサジン系の色素残基、カルボインジゴ系の色素残基、チオインジゴ系の色素残基が好適に用いられ、とりわけ、アントラピリドン系の色素残基、ジオキサジン系の色素残基が好適に用いられる。
【００３４】
ＤＹＥで表される色素残基は、それに水素原子が結合した化合物とした場合、実質的に水に可溶な水溶性である必要がある。ここで実質的に水溶性であるとは、２５℃にて、水に対して０．１重量％以上の溶解度を有することを指すが、１重量％以上の溶解度を有することが更に好ましく、３重量％以上の溶解度を有することが更に好ましく、５重量％以上の溶解度を有することが更に好ましく、１０重量％以上の溶解度を有することが更に好ましく、１５重量％以上の溶解度を有することが更に好ましい。但し、通常は４０重量％程度が溶解度の上限である。
【００３５】
従って、ＤＹＥで表される色素残基には、上記のような水溶性を付与するため親水性基が存することが一般的であり、かかる親水性基には、４級アミンに代表されるカチオンタイプのもの、ポリオキシエチレンに代表されるノニオンタイプのもの、スルホン基に代表されるアニオンタイプのもの等が挙げられるが、中でも、水中での解離定数（ｐＫａ値）が−１０〜５程度のイオン解離性の水溶性基が好適に用いられ、とりわけ、スルホン基、ホスホノ基、カルボキシル基、ボーレート基等が好適で、中でもスルホン基とカルボキシル基が好適に用いられる。それら解離性の基は、遊離酸の形で用いられても良いが、アルカリ金属、置換又は無置換の４級アンモニウム類等から選ばれる任意の対イオンとともに塩を形成した形で用いられてもよく、特に好適な対イオンとしては、Ｌｉ＋、Ｎａ＋、Ｋ＋、ＮＨ４＋が挙げられ、中でもＬｉ＋、Ｎａ＋、ＮＨ４＋が好ましく、とりわけＬｉ、Ｎａが好ましい。
【００３６】
ＤＹＥで示される色素残基は、上述の水溶性基以外にも任意の数の任意の種類の置換基により置換されていても良く、この置換基としてはインクジェット記録液に用いられる水溶性色素の置換基として通常用いられるものが使用される。例えば、ハロゲン原子、アミノ基、アルキルアミノ基、アリールアミノ基、ヘテリルアミノ基、ヒドロキシル基、アルコキシ基、アリールオキシ基、カルバモイル基、アルキルカルバモイル基、アリールカルバモイル基、ヘテリルカルバモイル基、スルファモイル基、アルキルスルファモイル基、アリールスルファモイル基、ヘテリルスルファモイル基、ホルミル基、アシル基、アルキルオキシカルボニル基、アリールオキシカルボニル基、ヘテリルオキシカルボニル基、メルカプト基、アルキルチオ基、アリールチオ基、ヘテリルチオ基、アルキルスルホニル基、アリールスルホニル基、ヘテリルスルホニル基、シアノ基、ニトロ基等、一般的に「助色団」と呼ばれる原子団等は、色素残基の色相や吸光度を大きく左右するので、目的とする色相を得るために適宜選択して用いられ、一方、アルキル基、アルケニル基、アリール基等は、目的とする色素の親水性や疎水性を所望のものに調節するためにも用いられる。
【００３７】
前述の通り、一般式（１）で示される水溶性色素には、ＤＹＥ部位の他に、ＳＴＲで表される疎水性の部位が存するので、一般式（１）で示される色素全体の水溶性を維持するためにも、ＤＹＥの部分に疎水性の原子団が置換する際は、その疎水性の原子団には更に、上述のような親水性の置換基が存することが望ましい。
【００３８】
ＤＹＥで表される色素残基の分子量については特に制限は無いが、通常１５０以上、好ましくは２００以上、更に好ましくは３００以上である。但し、通常２０００以下、好ましくは１０００以下、更に好ましくは８００以下である。一般に、色素の溶解性を上げるためには、分子量が小さいことが望ましく、一方、色素の色濃度を上げるためには、分子量が大きいことが望ましい。
【００３９】
一方、ＳＴＲで表される疎水性残基の種類としては、一般式（１）で示される色素の性能を損なわない限りは特に制約は無く、分枝していても良いアルキル基：分枝していても良いアルケニル基：分枝していても良いアルコキシ基：アリール基：ヘテリル基等が挙げられ、中でも、環状構造を有するアルキル基、ヘテリル基、アリール基が好ましく、中でもアリール基とヘテリル基が好ましく、中でも５員環の残基、６員環の残基、及びそれらが縮合した９個もしくは１０個の原子によって構成された縮合環基が好ましく、中でもフェニル基、ナフチル基、イミダゾール−２−イル基、ベンゾチアゾール−２−イル基、キノリン−６−イル基、ピリミジン−２−イル基、１，３，５−トリアジン−２−イル基、が特に好ましい。
【００４０】
ＳＴＲで表される疎水性残基は、各々置換基を有していても良く、好ましい置換基としてはハロゲン原子、アミノ基、アルキルアミノ基、アリールアミノ基、ヘテリルアミノ基、水酸基、アルコキシ基、アリールオキシ基、カルバモイル基、アルキルカルバモイル基、アリールカルバモイル基、ヘテリルカルバモイル基、スルファモイル基、アルキルスルファモイル基、アリールスルファモイル基、ヘテリルスルファモイル基、ホルミル基、アシル基、アルキルオキシカルボニル基、アリールオキシカルボニル基、ヘテリルオキシカルボニル基、メルカプト基、アルキルチオ基、アリールチオ基、アルキルスルホニル基、アリールスルホニル基、ヘテリルスルホニル基、シアノ基、ニトロ基、分枝していても良いアルキル基、分枝していても良いアルケニル基、分枝していても良いアルコキシ基等が挙げられるが、ＳＴＲ部位は一般式（１）で示される色素に十分な水溶性を与えるために、これら置換基で置換されたＳＴＲなる原子団の総炭素数は、通常４０以下、好ましくは３０以下、より好ましくは２０以下のものが好適に用いられる。また、総炭素数は好ましくは２以上、より好ましくは３以上のものが好適に用いられる。
【００４１】
ＳＴＲ部位は任意の形でＤＹＥに結合していて良いが、好ましい結合の例としては、ＤＹＥに存在する水酸基、メルカプト基、アミノ基の水素原子を置換して結合する形；単結合；アシル基、カルボキシ基等のカルボニル基含有基の水素原子を置換して結合する形；又はカルボニル基、スルホニル基等の酸素原子含有基を介して結合する形；が挙げられ、中でも単結合以外のものが好ましく、中でもＤＹＥに存在する水酸基、メルカプト基、アミノ基の水素原子を置換して結合する形；アシル基の水素原子を置換して結合する形；スルホニル基を介して結合する形が好ましく、中でもアミノ基の水素原子を置換して結合する形；アシル基、スルホニル基を介して結合する形が好ましい。それらの連結基は上記の置換基にて置換されていても良いが、水中での解離定数（ｐＫａ値）が−１０から５の間にあるイオン解離性基で置換されることは無い。
【００４２】
ＳＴＲがフェニル基もしくはナフチル基である場合、それらは無置換でも置換されていても良く、それら置換基の好適な例としては、ハロゲン原子：アミノ基：総炭素数１〜６の、アルキルアミノ基：総炭素数１〜６の、アシルアミノ基：フェニルアミノ基：４位と６位とが、アミノ基、総炭素数１〜６のアルキルアミノ基、水酸基、又は炭素数１〜４のアルコキシ基からなる群から任意に選ばれる基で置換された、１，３，５−トリアジン−２−イルアミノ基：水酸基：総炭素数１〜６のアルコキシ基：フェニルオキシ基：カルバモイル基、総炭素数１〜６の、アルキルカルバモイル基：フェニルカルバモイル基：スルファモイル基：総炭素数１〜６のアルキルスルファモイル基：フェニルスルファモイル基：ホルミル基：アシル基：総炭素数１〜６のアルキルオキシカルボニル基：メルカプト基：総炭素数１〜６のアルキルチオ基：フェニルチオ基：総炭素数１〜６のアルキルスルホニル基：フェニルスルホニル基：シアノ基：ニトロ基が挙げられる。中でも、塩素原子：トリフロロアセチルアミノ基：４位と６位とが、アミノ基、総炭素数１〜２のアルキルアミノ基、エタノールアミノ基、ジエタノールアミノ基、水酸基からなる群から任意に選ばれる基で置換された１，３，５−トリアジニルアミノ基のいずれかで置換された場合、及び無置換の場合とが好適な例として挙げられる。
【００４３】
ＳＴＲが３，５−二置換−２，４，６−トリアジニル基である場合の置換基の好適な例としては、アミノ基：総炭素数１〜６の、アルキルアミノ基：フェニルアミノ基：ナフチルアミノ基：ヘテリルアミノ基：水酸基：炭素数１〜６のアルコキシ基：フェニルオキシ基、ナフチルオキシ基、メルカプト基：炭素数１〜６のアルキルチオ基：フェニルチオ基：ナフチルチオ基、ヘテリルチオ基等が挙げられ、それらのうち、フェニルアミノ基のフェニル基：ナフチルアミノ基のナフチル基：ヘテリルアミノ基のヘテリル基：フェニルオキシ基、ナフチルオキシ基：フェニルチオ基：ナフチルチオ基：ヘテリルチオ基については、更にハロゲン原子：アミノ基：総炭素数１〜６の、アルキルアミノ基：総炭素数６〜１２の、アリールアミノ基：総炭素数２〜７の、ヘテリルアミノ基：水酸基：炭素数１〜６のアルコキシ基：総炭素数６〜１２の、アリールオキシ基：カルバモイル基：総炭素数２〜６の、アルキルカルバモイル基：総炭素数７〜１２の、アリールカルバモイル基：総炭素数２〜７の、ヘテリルカルバモイル基：スルファモイル基：総炭素数１〜６の、アルキルスルファモイル基：総炭素数６〜１２の、アリールスルファモイル基：総炭素数２〜７の、ヘテリルスルファモイル基：ホルミル基：アシル基：総炭素数２〜７の、アルキルオキシカルボニル基、総炭素数６〜１２の、アリールオキシカルボニル基：総炭素数２〜７の、ヘテリルオキシカルボニル基：メルカプト基、総炭素数１〜６の、アルキルチオ基：総炭素数６〜１２の、アリールチオ基：総炭素数１〜６の、アルキルスルホニル基：総炭素数６〜１２の、アリールスルホニル基、総炭素数２〜７の、ヘテリルスルホニル基、シアノ基、ニトロ基、炭素数１〜６のアルキル基、炭素数２〜６のアルケニル基等が挙げられ、これらの置換基よりなる群から選ばれる単数の置換基で置換されていても良く、複数の置換基で置換されていても良い。
【００４４】
ＳＴＲが３，５−二置換−２，４，６−トリアジニル基である場合の置換基としての、総炭素数１〜６の、アルキルアミノ基のアルキル基：炭素数１〜６のアルコキシ基：炭素数１〜６のアルキルチオ基のアルキル基については、ハロゲン原子：アミノ基：フェニルアミノ基：水酸基：総炭素数１〜６のアルコキシ基：フェニルオキシ基：カルバモイル基、総炭素数１〜６の、アルキルカルバモイル基：フェニルカルバモイル基：スルファモイル基：総炭素数１〜６のアルキルスルファモイル基：フェニルスルファモイル基：ホルミル基：アシル基：総炭素数１〜６のアルキルオキシカルボニル基：メルカプト基：総炭素数１〜６のアルキルチオ基：フェニルチオ基：総炭素数１〜６のアルキルスルホニル基：フェニルスルホニル基：シアノ基：ニトロ基から選ばれる任意の置換基によって置換されていても良い。
【００４５】
ＳＴＲが３，５−二置換−２，４，６−トリアジニル基である場合のその置換基のより好適なものとしては、アミノ基：水酸基：ハロゲン原子又は水酸基で置換されていても良い、総炭素数１〜４の、アルキルアミノ基：ハロゲン原子又はハロゲン原子で置換されていても良いアシルアミノ基で置換されていても良い、フェニルアミノ基：ハロゲン原子又はハロゲン原子で置換されていても良いアシルアミノ基で置換されていても良い、ナフチルアミノ基：ハロゲン原子又はハロゲン原子で置換されていても良いアシルアミノ基で置換されていても良い、ヘテリルアミノ基が挙げられ、中でも好ましくは、アミノ基：メチルアミノ基：エチルアミノ基：ジメチルアミノ基：水酸基：塩素原子で置換されていても良いアニリノ基であり、特に好ましくはアミノ基又は水酸基である。いずれの場合もＳＴＲが、水中での解離定数（ｐＫａ値）が−１０以上５以下であるイオン解離性基によって置換されることは無い。
【００４６】
前記一般式（１）で示される形の色素の優れた特性、とりわけ耐光堅牢性が優れる機構は定かではないが、一般式（１）において、ＤＹＥと表記される水溶性のある平板型色素部分と、ＳＴＲで現される疎水性の高い原子団とが一分子中にあることが何らかの形で堅牢性向上に寄与しているものと思われる。即ち、水中もしくは水系インクの中では、ＤＹＥ部位は水和されやすいが、ＳＴＲ部位は水和されにくく、他の色素分子のＳＴＲ部位と疎水性相互作用して集合体を形成する傾向があると思われ、その集合体形成傾向に連動して、集まったＳＴＲ部に各々連結したＤＹＥで示す平板な水溶性色素部位同士も、近傍に水分子を伴いつつ積層構造を形成し得る。即ち、ＤＹＥ−（ＳＴＲ）ｎなる構造を有する色素には、水中や水系インク中で自己組織化する可能性があり、色素平板部位同士が接近しあうことにより、インクジェット記録の結果として得られる画像に存する色素同士が、その積層構造、π電子相互作用、分子間の励起緩和を通じて、オゾン等の酸性ガスや光に対してより高い耐分解性を示していることが予想される。
【００４７】
一方、ＤＹＥなる色素残基として仮にアゾ色素残基を用いると、その部分の屈曲性や異性化現象により、色素残基が十分積層しあわず、結果として本発明に係る一般式（１）で表される色素に比べると、劣るレベルの堅牢性しか有さないインクジェット画像しか得られないものと推定される。
【００４８】
（Ｂ）ＤＹＥがアントラピリドン系残基である場合
以下に、ＤＹＥで示される色素残基がアントラピリドン骨格である場合の一般式（１）で表される水溶性色素について述べる。
【００４９】
ＤＹＥがアントラピリドン系の色素残基の場合、ＳＴＲとしては、先に例示した原子団の中でも特に、３，５−二置換−２，４，６−トリアジニル基が好ましく、その置換基の好適な例としては、アミノ基：総炭素数１〜６の、アルキルアミノ基：フェニルアミノ基：ナフチルアミノ基：ヘテリルアミノ基：水酸基：炭素数１〜６のアルコキシ基：フェニルオキシ基、ナフチルオキシ基、メルカプト基：炭素数１〜６のアルキルチオ基：フェニルチオ基：ナフチルチオ基、ヘテリルチオ基等が挙げられ、それらのうち、フェニルアミノ基のフェニル基：ナフチルアミノ基のナフチル基：ヘテリルアミノ基のヘテリル基：フェニルオキシ基、ナフチルオキシ基：フェニルチオ基：ナフチルチオ基：ヘテリルチオ基については、更にハロゲン原子：アミノ基：総炭素数１〜６の、アルキルアミノ基：総炭素数６〜１２の、アリールアミノ基：総炭素数２〜７の、ヘテリルアミノ基：水酸基：炭素数１〜６のアルコキシ基：総炭素数６〜１２の、アリールオキシ基：カルバモイル基：総炭素数２〜６の、アルキルカルバモイル基：総炭素数７〜１２の、アリールカルバモイル基：総炭素数２〜７の、ヘテリルカルバモイル基：スルファモイル基：総炭素数１〜６の、アルキルスルファモイル基：総炭素数６〜１２の、アリールスルファモイル基：総炭素数２〜７の、ヘテリルスルファモイル基：ホルミル基：アシル基：総炭素数２〜７の、アルキルオキシカルボニル基、総炭素数６〜１２の、アリールオキシカルボニル基：総炭素数２〜７の、ヘテリルオキシカルボニル基：メルカプト基、総炭素数１〜６の、アルキルチオ基：総炭素数６〜１２の、アリールチオ基：総炭素数１〜６の、アルキルスルホニル基：総炭素数６〜１２の、アリールスルホニル基、総炭素数２〜７の、ヘテリルスルホニル基、シアノ基、ニトロ基、炭素数１〜６のアルキル基、炭素数２〜６のアルケニル基等が挙げられ、これらの置換基よりなる群から選ばれる単数の置換基で置換されていても良く、複数の置換基で置換されていても良い。
【００５０】
ＳＴＲが３，５−二置換−２，４，６−トリアジニル基である場合のその置換基としての、総炭素数１〜６の、アルキルアミノ基のアルキル基：炭素数１〜６のアルコキシ基：炭素数１〜６のアルキルチオ基のアルキル基については、ハロゲン原子：アミノ基：フェニルアミノ基：水酸基：総炭素数１〜６のアルコキシ基：フェニルオキシ基：カルバモイル基、総炭素数１〜６の、アルキルカルバモイル基：フェニルカルバモイル基：スルファモイル基：総炭素数１〜６のアルキルスルファモイル基：フェニルスルファモイル基：ホルミル基：アシル基：総炭素数１〜６のアルキルオキシカルボニル基：メルカプト基：総炭素数１〜６のアルキルチオ基：フェニルチオ基：総炭素数１〜６のアルキルスルホニル基：フェニルスルホニル基：シアノ基：ニトロ基からなる任意の置換基によって置換されていても良い。
【００５１】
ＳＴＲが３，５−二置換−２，４，６−トリアジニル基である場合のその置換基のより好適なものとしては、アミノ基：水酸基：ハロゲン原子又は水酸基で置換されていても良い、総炭素数１〜４の、アルキルアミノ基：ハロゲン原子又はハロゲン原子で置換されていても良いアシルアミノ基で置換されていても良い、フェニルアミノ基：ハロゲン原子又はハロゲン原子で置換されていても良いアシルアミノ基で置換されていても良い、ナフチルアミノ基：ハロゲン原子又はハロゲン原子で置換されていても良いアシルアミノ基で置換されていても良い、ヘテリルアミノ基が挙げられ、中でも好ましくは、アミノ基、メチルアミノ基、エチルアミノ基、ジメチルアミノ基、水酸基、塩素原子で置換されていても良いアニリノ基であり、特に好ましくはアミノ基又は水酸基である。いずれの場合もＳＴＲが、水中での解離定数（ｐＫａ値）が−１０以上５以下であるイオン解離性基によって置換されることは無い。その置換基と更に好ましい置換基についても、先に詳記した通りである。
【００５２】
ＤＹＥで示されるアントラピリドン系残基は、１位、２位、４位、９位に置換基を有していても良いが、その中でも４位に、アミノ基、アルキルアミノ基、アニリノ基やナフチルアミノ基に代表されるアリールアミノ基、ヘテリルアミノ基、アルキルチオ基、アリールチオ基、アリールオキシ基、ヘテリルオキシ基等のπ共役性の置換基を有するものは、マゼンタ系の鮮やかな色相を有するので好ましい。即ち色素の色相はアントラピリドン骨格と４位のかかる置換基によって決定されるものであるから、アントラピリドン系残基の４位にアミノ基、アルキルアミノ基、アニリノ基やナフチルアミノ基に代表されるアリールアミノ基、ヘテリルアミノ基、アルキルチオ基、アリールチオ基、アリールオキシ基等のπ共役性の置換基が存する場合、これらの置換基を含めて、上記一般式（１）におけるＤＹＥ部分に属するものと見なすこととする。
【００５３】
一方、アントラピリドン系残基の１位（窒素原子）の置換基としては例えばアルキル基が挙げられ、２位の置換基としては例えばアリールオキシ基が挙げられ、９位の置換基としては例えばシアノ基、或いは、アセチル基やベンゾイル基に代表される置換アシル基が挙げられるが、これらの例を含め、アントラピリドン骨格に直結する置換基は色相を左右するので、アントラピリドン骨格に直結するそれら置換基をも含めて、上記一般式（１）におけるＤＹＥ部分に属すると見なすこととする。
【００５４】
ＤＹＥとしてのアントラピリドン系残基には、水溶性を保持するため親水性基が存することが必要であり、かかる親水性基には、４級アミンに代表されるカチオンタイプのもの、ポリオキシエチレンに代表されるノニオンタイプのもの、スルホン基に代表されるアニオンタイプのもの等が挙げられるが、中でも、水中での解離定数（ｐＫａ値）が−１０〜５程度のイオン解離性の水溶性基が好適に用いられ、とりわけ、スルホン基、ホスホノ基、カルボキシル基、ボーレート基等が好適で、中でもスルホン基とカルボキシル基が好適に用いられ、とりわけスルホン基が好適である。また、ＤＹＥとしてのアントラピリドン系残基に存する上記水溶性基の個数は、１〜５が好ましく、２〜４が更に好ましく、３が最も好ましい。更に、それらイオン解離性の基は、遊離酸の形で用いられても良いが、任意の対イオンとともに塩を形成した形で用いられても良い。
【００５５】
ＤＹＥとしてのアントラピリドン系残基は更に任意の置換基を有していても良いが、特に４位には、ハロゲン原子、アミノ基、アルキルアミノ基、アリールアミノ基、ヘテリルアミノ基、ヒドロキシル基、アルコキシ基、アリールオキシ基、カルバモイル基、アルキルカルバモイル基、アリールカルバモイル基、ヘテリルカルバモイル基、スルファモイル基、アルキルスルファモイル基、アリールスルファモイル基、ヘテリルスルファモイル基、ホルミル基、アシル基、アルキルオキシカルボニル基、アリールオキシカルボニル基、ヘテリルオキシカルボニル基、メルカプト基、アルキルチオ基、アリールチオ基、ヘテリルチオ基、アルキルスルホニル基、アリールスルホニル基、ヘテリルスルホニル基、シアノ基、ニトロ基等、一般的に「助色団」と呼ばれる原子団で置換されることが好ましく、中でも、アミノ基、アルキルアミノ基、アニリノ基やナフチルアミノ基に代表されるアリールアミノ基、ヘテリルアミノ基、アルキルチオ基、アリールチオ基、ヘテリルチオ基、アリールオキシ基、ヘテリルオキシ基に代表されるπ共役性の置換基で置換されることが好ましく、中でも、置換基を有していても良い、構成原子数が５、６、９、もしくは１０である芳香環で置換された、アミノ基もしくはチオ基が好ましく、中でもアニリノ基、ナフチルアミノ基、イミダゾール−２−イルアミノ基、１，３，４−トリアゾール−２−イルアミノ基、ベンゾチアゾール−２−イルアミノ基、フェニルチオ基、ナフチルチオ基、ベンゾイミダゾール−２−イルチオ基が好ましく、特に、アニリノ基、ナフチルアミノ基が好ましい。ここで上記の、構成原子数が５、６、９、もしくは１０である芳香環で置換された、アミノ基もしくはチオ基の芳香環を置換基は、上述の「助色団」と呼ばれる原子団、あるいは水中での解離定数（ｐＫａ値）が−１０以上５以下であるイオン解離性基で置換されることが好ましく、その中でも特に好ましい置換基としては、ハロゲン原子、アミノ基、ヒドロキシル基、アルコキシ基、ホルミル基、アシル基、メルカプト基、アルキルチオ基、シアノ基、ニトロ基、カルボキシル基、スルホン基、ホスホノ基が挙げられるが、それら置換基が炭素原子を含む場合、その炭素数は、１〜５が好ましく、１〜３が更に好ましく、１〜２が更に好ましい。これら置換基のうち、特に好ましくは、ハロゲン原子、ホルミル基、アシル基、シアノ基、ニトロ基、カルボキシル基、スルホン基、ホスホノ基であり、更に好ましくは、ハロゲン原子、シアノ基、ニトロ基、カルボキシル基、スルホン基であり、更に好ましくはカルボキシル基、スルホン基であり、最も好ましくはスルホン基である。
【００５６】
なお、前記一般式（１）において、ｎは１以上の整数であるが、一般にｎは１〜４、特に１〜２であることが好ましい。
ｎが２以上の場合、複数あるＳＴＲは、互いに同一であっても異なっていても良い。
【００５７】
ＤＹＥで示される色素残基がアントラピリドン骨格である場合、前記一般式（１）で表される水溶性色素のより好ましい様態は、下記した一般式（２）で表すことができる。
【化９】
2006124475.tif 000005
（式中、ＡＰは置換されていても良いアントラピリドン骨格含有残基を表し、
Ｓｏｌは水中での解離定数（ｐＫａ値）が−１０以上５以下である解離性基を表し、
ｒは２〜１０の整数を表し、
Ｌは酸素原子、硫黄原子、又は−ＮＲ１−を表し、Ｒ１は水素原子、置換されていても良い、炭素数１〜４のアルキル基、又は置換されていても良い、炭素数２〜４のアルケニル基を表し、
ＸとＹは各々独立に、−ＮＲ２Ｒ３、−ＯＲ４、又は−ＳＲ５を表し、Ｒ２〜Ｒ５は各々独立に、水素原子、置換されていても良いアルキル基、置換されていても良いアルケニル基、置換されていても良いアリール基、又は置換されていても良い複素環基を表すが、Ｒ２〜Ｒ５に水中での解離定数（ｐＫａ値）が−１０以上５以下である解離性基は存在せず、またＸ又はＹを通じて更に１個のＡＰで表される残基が結合することは無く、
更にＡＰは、一般式（２）中に明記されたトリアジン部位以外にも、前記ＳＴＲで表される疎水性残基を有していても良い。）
【００５８】
上記一般式（２）中、ＡＰは置換されていても良いアントラピリドン骨格含有残基を表し、上述の如く、１位（窒素原子）、２位、４位、９位には置換基を有していても良く、４位の置換基としては、アミノ基、アルキルアミノ基、アニリノ基やナフチルアミノ基に代表されるアリールアミノ基、ヘテリルアミノ基、アルキルチオ基、アリールチオ基、アリールオキシ基、ヘテリルオキシ基等のπ共役性の置換基が好ましく、中でも好ましくはアニリノ基やナフチルアミノ基に代表されるアリールアミノ基、ヘテリルアミノ基であり、より好ましくはアニリノ基又はナフチルアミノ基であり、より好ましくはアニリノ基である。それら４位の置換基は、更に置換基を有していても良いが、中でも「Ｓｏｌ」として後述される、水中での解離定数（ｐＫａ値）が−１０以上５以下である解離性基を、１〜４個、好ましくは２〜３個、より好ましくは２個有する。
【００５９】
上記一般式（２）のＡＰの１位（窒素原子）の置換基としては、例えばアルキル基が挙げられ、好ましくはメチル基とエチル基であり、より好ましくはメチル基である。
【００６０】
上記一般式（２）のＡＰの２位の置換基としては、例えばアリールオキシ基が挙げられ、好ましくはフェノキシ基である。このフェノキシ基等の２位の置換基は、更に置換されていても良く、その置換基としてはハロゲン原子、アミノ基、アルキルアミノ基、アリールアミノ基、ヘテリルアミノ基、ヒドロキシル基、アルコキシ基、アリールオキシ基、カルバモイル基、アルキルカルバモイル基、アリールカルバモイル基、ヘテリルカルバモイル基、スルファモイル基、アルキルスルファモイル基、アリールスルファモイル基、ヘテリルスルファモイル基、ホルミル基、アシル基、アルキルオキシカルボニル基、アリールオキシカルボニル基、ヘテリルオキシカルボニル基、メルカプト基、アルキルチオ基、アリールチオ基、ヘテリルチオ基、アルキルスルホニル基、アリールスルホニル基、ヘテリルスルホニル基、シアノ基、ニトロ基等、一般的に「助色団」と呼ばれる原子団や、炭素数８以下のアルキル基や、「Ｓｏｌ」として後述される、水中での解離定数（ｐＫａ値）が−１０以上５以下である解離性基が挙げられ、好ましくは、ハロゲン原子、シアノ基、ニトロ基、炭素数８以下のアルキル基や、「Ｓｏｌ」として後述される、水中での解離定数（ｐＫａ値）が−１０以上５以下である解離性基であり、より好ましくは、「Ｓｏｌ」として後述される、水中での解離定数（ｐＫａ値）が−１０以上５以下である解離性基であり、これら置換基の個数は１〜２が好ましい。
【００６１】
上記一般式（２）のＡＰの９位の好ましい置換基としてはシアノ基、アセチル基、又はベンゾイル基に代表されるアリールアシル基やヘテリルアシル基が挙げられ、より好ましくはベンゾイル基ある。これら９位の置換基は更に置換されていても良く、その置換基としてはハロゲン原子、アミノ基、アルキルアミノ基、アリールアミノ基、ヘテリルアミノ基、ヒドロキシル基、アルコキシ基、アリールオキシ基、カルバモイル基、アルキルカルバモイル基、アリールカルバモイル基、ヘテリルカルバモイル基、スルファモイル基、アルキルスルファモイル基、アリールスルファモイル基、ヘテリルスルファモイル基、ホルミル基、アシル基、アルキルオキシカルボニル基、アリールオキシカルボニル基、ヘテリルオキシカルボニル基、メルカプト基、アルキルチオ基、アリールチオ基、ヘテリルチオ基、アルキルスルホニル基、アリールスルホニル基、ヘテリルスルホニル基、シアノ基、ニトロ基等、一般的に「助色団」と呼ばれる原子団や、「Ｓｏｌ」として後述される、水中での解離定数（ｐＫａ値）が−１０以上５以下である解離性基が挙げられ、好ましくは、ハロゲン原子、シアノ基、ニトロ基、「Ｓｏｌ」として後述される、水中での解離定数（ｐＫａ値）が−１０以上５以下である解離性基であり、より好ましくは、「Ｓｏｌ」として後述される、水中での解離定数（ｐＫａ値）が−１０以上５以下である解離性基であり、それら置換基の個数は１〜２が好ましい。
【００６２】
Ｓｏｌは水中での解離定数（ｐＫａ値）が−１０以上５以下である解離性基を表し、好ましい例としてはスルホン基、ホスホノ基、カルボキシル基、ボーレート基等が好適で、中でもスルホン基とカルボキシル基が好ましく、スルホン基がより好ましい。
【００６３】
ｒは２〜１０の整数を表し、２〜５がより好ましく、２〜３がより好ましい。
【００６４】
Ｌは酸素原子、硫黄原子、又は−ＮＲ１−を表し、好ましくは−ＮＲ１−である。ここで、Ｒ１は水素原子：置換されていても良い、炭素数１〜４のアルキル基：置換されていても良い、炭素数２〜４のアルケニル基を表し、好ましくは水素原子、メチル基、エチル基であり、より好ましくは水素原子である。
【００６５】
ＸとＹは各々独立に、−ＮＲ２Ｒ３、−ＯＲ４、又は−ＳＲ５を表し、より好ましくは−ＮＲ２Ｒ３、又は−ＯＲ４である。ここでＲ２〜Ｒ５は各々独立に、水素原子、置換されていても良いアルキル基、置換されていても良いアルケニル基、置換されていても良いアリール基、又は置換されていても良い複素環基を表すが、Ｒ２〜Ｒ５に水中での解離定数（ｐＫａ値）が−１０以上５以下である解離性基は存在しない。ここでＲ２〜Ｒ５の好ましい例としては、水素原子；置換されていても良い、炭素数１〜４のアルキル基；置換されていても良い、炭素数２〜４のアルケニル基；置換されていても良いナフチル基；置換されていても良いフェニル基；置換されていても良い、構成原子数が５、６、９、若しくは１０である、窒素原子又は硫黄原子を複素原子として含む複素環基が挙げられ、中でも水素原子、炭素数１〜４のアルキル基、炭素数２〜４のアルケニル基、シアノエチル基、ヒドロキシエチル基、フェニル基が好ましい。ここで該フェニル基は、ハロゲン原子、シアノ基、ニトロ基、炭素数１〜８のアルキル基、炭素数２〜４のアルケニル基からなる群から選ばれる１〜３の置換基を有していても良い。Ｒ２〜Ｒ５としてより好ましいのは、水素原子、メチル基、エチル基であり、より好ましいのは水素原子である。
【００６６】
ただし、一般式（２）において、Ｘ又はＹを通じて更に１個のＡＰで表される残基が結合することは無く、更にＡＰは、一般式（２）中に明記されたトリアジン部位以外にも、前記一般式（１）のＳＴＲで表される疎水性残基を有していても良いが、その疎水性残基は、アントラピリドン骨格の９位の置換基の水素原子を置換する形でアントラピリドン部位に結合することが好ましい。
【００６７】
ＤＹＥで示される色素残基がアントラピリドン骨格である場合、前記一般式（１）で表される水溶性色素のより好ましい様態は、下記一般式（３）で表すことができる。
【化１０】
2006124475.tif 000006
（式中、Ｒは水素原子、置換されていても良い、炭素数１〜４のアルキル基、又は置換されていても良い、炭素数２〜４のアルケニル基を表し、
ｓ，ｔは各々独立に１〜４の整数を表し、
Ａｒ１，Ａｒ２は各々独立に、アリール基もしくはヘテリル基を表す。
Ｓｏｌ，Ｌ，Ｘ，Ｙは、一般式（２）におけると同義である。）
【００６８】
上記一般式（３）中、Ｒは好ましくは水素原子又は炭素数１〜３のアルキル基であり、より好ましくは炭素数１〜２のアルキル基であり、ｓは好ましくは２又は３であり、より好ましくは２であり、ｔは好ましくは１〜３であり、より好ましくは１〜２であり、より好ましくは１である。
【００６９】
また、Ａｒ１は好ましくはナフチル基又はフェニル基であり、より好ましくはフェニル基であり、一般式（２）におけるＡＰの４位の好ましい置換基としてのアリール基を更に好ましく置換する置換基として前項で詳記した置換基によって置換されていても良いが、更に好ましくは式中「Ｓｏｌ」と記した置換基以外の置換基を有さない。
【００７０】
Ａｒ２は好ましくはナフチル基又はフェニル基であり、より好ましくはフェニル基であり、一般式（２）におけるＡＰの９位の好ましい置換基としてのアリール基を更に好ましく置換する置換基として前項で詳記した置換基によって置換されていても良いが、更に好ましくは式中「Ｓｏｌ」と記した置換基以外の置換基を有さない。
【００７１】
ＤＹＥで示される色素残基がアントラピリドン骨格である場合、前記一般式（１）で表される水溶性色素のより好ましい様態は、下記一般式（４）で表すことができる。なお、一般式（４）中、ＸとＹは前記一般式（２）におけると同義であり、その好ましい様態についても、先の一般式（２）のＸ，Ｙの説明の項と同じものである。
【化１１】
2006124475.tif 000007
【００７２】
（Ｃ）ＤＹＥがジオキサジン系残基である場合
以下に、ＤＹＥで示される色素残基がジオキサジン骨格である場合の一般式（１）で表される水溶性色素について述べる。
【００７３】
ＤＹＥがジオキサジン骨格である場合、ＳＴＲとしては、先に例示した原子団の中でも特に、３，５−二置換−２，４，６−トリアジニル基が好ましく、その置換基の好適な例としては、アミノ基：総炭素数１〜６の、アルキルアミノ基：フェニルアミノ基：ナフチルアミノ基：ヘテリルアミノ基：水酸基：炭素数１〜６のアルコキシ基：フェニルオキシ基、ナフチルオキシ基、メルカプト基：炭素数１〜６のアルキルチオ基：フェニルチオ基：ナフチルチオ基、ヘテリルチオ基等が挙げられ、それらのうち、フェニルアミノ基のフェニル基：ナフチルアミノ基のナフチル基：ヘテリルアミノ基のヘテリル基：フェニルオキシ基、ナフチルオキシ基：フェニルチオ基：ナフチルチオ基：ヘテリルチオ基については、更にハロゲン原子：アミノ基：総炭素数１〜６の、アルキルアミノ基：総炭素数６〜１２の、アリールアミノ基：総炭素数２〜７の、ヘテリルアミノ基：水酸基：炭素数１〜６のアルコキシ基：総炭素数６〜１２の、アリールオキシ基：カルバモイル基：総炭素数２〜６の、アルキルカルバモイル基：総炭素数７〜１２の、アリールカルバモイル基：総炭素数２〜７の、ヘテリルカルバモイル基：スルファモイル基：総炭素数１〜６の、アルキルスルファモイル基：総炭素数６〜１２の、アリールスルファモイル基：総炭素数２〜７の、ヘテリルスルファモイル基：ホルミル基：アシル基：総炭素数２〜７の、アルキルオキシカルボニル基、総炭素数６〜１２の、アリールオキシカルボニル基：総炭素数２〜７の、ヘテリルオキシカルボニル基：メルカプト基、総炭素数１〜６の、アルキルチオ基：総炭素数６〜１２の、アリールチオ基：総炭素数１〜６の、アルキルスルホニル基：総炭素数６〜１２の、アリールスルホニル基、総炭素数２〜７の、ヘテリルスルホニル基、シアノ基、ニトロ基、炭素数１〜６のアルキル基、炭素数２〜６のアルケニル基等が挙げられ、これらの置換基よりなる群から選ばれる単数の置換基で置換されていても良く、複数の置換基で置換されていても良い。
【００７４】
ＳＴＲが３，５−二置換−２，４，６−トリアジニル基である場合のその置換基としての、総炭素数１〜６の、アルキルアミノ基のアルキル基：炭素数１〜６のアルコキシ基：炭素数１〜６のアルキルチオ基のアルキル基については、ハロゲン原子：アミノ基：フェニルアミノ基：水酸基：総炭素数１〜６のアルコキシ基：フェニルオキシ基：カルバモイル基、総炭素数１〜６の、アルキルカルバモイル基：フェニルカルバモイル基：スルファモイル基：総炭素数１〜６のアルキルスルファモイル基：フェニルスルファモイル基：ホルミル基：アシル基：総炭素数１〜６のアルキルオキシカルボニル基：メルカプト基：総炭素数１〜６のアルキルチオ基：フェニルチオ基：総炭素数１〜６のアルキルスルホニル基：フェニルスルホニル基：シアノ基：ニトロ基からなる任意の置換基によって置換されていても良い。
【００７５】
ＳＴＲが３，５−二置換−２，４，６−トリアジニル基である場合のその置換基のより好適なものとしては、アミノ基：水酸基：ハロゲン原子又は水酸基で置換されていても良い、総炭素数１〜４の、アルキルアミノ基：ハロゲン原子又はハロゲン原子で置換されていても良いアシルアミノ基で置換されていても良い、フェニルアミノ基：ハロゲン原子又はハロゲン原子で置換されていても良いアシルアミノ基で置換されていても良い、ナフチルアミノ基：ハロゲン原子又はハロゲン原子で置換されていても良いアシルアミノ基で置換されていても良い、ヘテリルアミノ基が挙げられ、中でも好ましくは、アミノ基：メチルアミノ基：エチルアミノ基：ジメチルアミノ基：水酸基：塩素原子で置換されていても良いアニリノ基であり、特に好ましくはアミノ基又は水酸基である。いずれの場合もＳＴＲが、水中での解離定数（ｐＫａ値）が−１０以上５以下であるイオン解離性基によって置換されることは無いその置換基と更に好ましい置換基についても、先に詳記した通りである。
【００７６】
ＤＹＥで示されるジオキサジン系残基は置換基を有していても良い。中でも、水溶性を保持するため親水性基が存することが必要であり、かかる親水性基には、４級アミンに代表されるカチオンタイプのもの、ポリオキシエチレンに代表されるノニオンタイプのもの、スルホン基に代表されるアニオンタイプのもの等が挙げられるが、中でも、水中での解離定数（ｐＫａ値）が−１０〜５程度のイオン解離性の水溶性基が好適に用いられ、とりわけ、スルホン基、ホスホノ基、カルボキシル基、ボーレート基等が好適で、中でもスルホン基とカルボキシル基が好適に用いられ、とりわけスルホン基が好適である。また、ＤＹＥとしてのジオキサジン残基に存する上記水溶性基の個数は、１〜６が好ましく、２〜４が更に好ましく、とりわけ２が好ましい。更に、これらイオン解離性の基は、遊離酸の形で用いられても良いが、任意の対イオンとともに塩を形成した形で用いられても良い。
【００７７】
ジオキサジン系残基へのこれら親水性基の置換位置には制約は無いが、５位及び５’位以外であることが好ましく、中でも、１位、１’位、４位、４’位が好ましく、中でも、１位と１’位、若しくは４位と４’位というふうに、対称性が高い位置に存する場合、ＤＹＥ部分の水溶性が高くなりえるので好ましい。なお、ここで、ジオキサジンの骨格の置換位置を、下記の如く規定する。
【化１２】
2006124475.tif 000008
【００７８】
ＤＹＥとしてのジオキサジン系残基は更に上記の置換基以外の任意の置換基を有していても良い。例えば、２，２’位又は３，３’位には、ハロゲン原子、アミノ基、アルキルアミノ基、アリールアミノ基、ヘテリルアミノ基、ヒドロキシル基、アルコキシ基、アリールオキシ基、カルバモイル基、アルキルカルバモイル基、アリールカルバモイル基、ヘテリルカルバモイル基、スルファモイル基、アルキルスルファモイル基、アリールスルファモイル基、ヘテリルスルファモイル基、ホルミル基、アシル基、アルキルオキシカルボニル基、アリールオキシカルボニル基、ヘテリルオキシカルボニル基、メルカプト基、アルキルチオ基、アリールチオ基、ヘテリルチオ基、アルキルスルホニル基、アリールスルホニル基、ヘテリルスルホニル基、シアノ基、ニトロ基等、一般的に「助色団」と呼ばれる原子団で置換されることが好ましく、中でも、アミノ基、アルキルアミノ基、アリールアミノ基、ヘテリルアミノ基、ヒドロキシル基、アルコキシ基、アリールオキシ基、メルカプト基、アルキルチオ基、アリールチオ基、ヘテリルチオ基が好ましく、中でもアルキルアミノ基、アリールアミノ基、ヘテリルアミノ基、アルコキシ基、アリールオキシ基、アルキルチオ基、アリールチオ基、ヘテリルチオ基が好ましく、中でもアルキルアミノ基、アルコキシ基、アルキルチオ基が好ましく、アルコキシ基が最も好ましい。
【００７９】
表１に、本発明で用いられる一般式（１）で表される水溶性色素の好ましい例を遊離酸の形で例示するが、本発明で用いる水溶性色素はこれら例示によって限定されない。
【００８０】
【表１】
2006124475.tif 000009
【００８１】
本発明で使用される前記一般式（１）で示される水溶性色素は、遊離酸型のまま使用しても良いが製造時、塩型で得られた場合はそのまま使用しても良いし、所望の塩型に変換して用いても良い。このような塩型の例としてＮａ、Ｌｉ、Ｋ等のアルカリ金属の塩、アルキル基もしくはヒドロキシアルキル基で置換されていても良いアンモニウムの塩、又は有機アミンの塩が挙げられる。有機アミンの例として、低級アルキルアミン、ヒドロキシ置換低級アルキルアミン、カルボキシ置換低級アルキルアミン及び炭素数２〜４のアルキレンイミン単位を２〜１０個有するポリアミン等が挙げられる。
【００８２】
塩型の交換方法としては、公知の方法を任意に用いることができる。例えば以下の方法が挙げられる。  
１）塩型で得られた色素の水溶液に塩酸等の強酸を添加し、色素を遊離酸の形で酸析せしめたのち、所望の対イオンを有するアルカリ溶液（例えば水酸化リチウム水溶液）で色素酸性基を中和し塩交換する方法。  
２）塩型で得られたの色素の水溶液に、所望の対イオンを有する大過剰の中性塩（例えば、塩化リチウム）を添加し、塩析ケーキの形で塩交換を行う方法。
３）塩型で得られた色素の水溶液を、強酸性イオン交換樹脂で処理し、色素を遊離酸の形で酸析せしめたのち、所望の対イオンを有するアルカリ溶液（例えば水酸化リチウム水溶液）で色素酸性基を中和し塩交換する方法。
４）予め所望の対イオンを有するアルカリ溶液（例えば水酸化リチウム水溶液）で処理した強酸性イオン交換樹脂に、塩型で得られた色素の水溶液を作用させ、塩交換を行う方法。
【００８３】
また、本発明で使用される色素は、酸基の一部が塩型のものであっても良く、塩型の色素と遊離酸型の色素が混在していても良い。ここで、酸性基が遊離酸型を取るか、塩型を取るかは、記録液のｐＫａとインクのｐＨに依存する。通常、スルホ基が塩型を取り、カルボキシル基もより多く塩型になっている方が、インクの目詰まりしにくさの点では好ましい。他方、カルボキシル基が酸型を取っている色素は、耐水性や耐滲み性を重視する場合に好ましく使用される。上記の塩型の例としてＮａ、Ｌｉ、Ｋ等のアルカリ金属の塩、アルキル基もしくはヒドロキシアルキル基で置換されていても良いアンモニウムの塩、又は有機アミンの塩が挙げられる。有機アミンの例として、低級アルキルアミン、ヒドロキシ置換低級アルキルアミン、カルボキシ置換低級アルキルアミン及び炭素数２〜４のアルキレンイミン単位を２〜１０個有するポリアミン等が挙げられる。これらの塩型の場合、その種類は１種類に限られず複数種混在していても良い。
【００８４】
対イオンの種類の選択についても、そのインクにおいて重視すべき特性に応じ、自由に選択される。色素の合成の中間体や試薬にＮａを含むものが多いので、水溶性色素は一般にNa塩の形で得られるが、耐水性を重視する場合はＮＨ４塩に変換されることが多く、また色素の溶解性を高めインクの目詰まり性をより高いレベルに維持する必要があるときなどは、Ｌｉ塩や、トリエタノールアミンに代表されるアルカノールアミン塩の形に変換されることもある。
【００８５】
また、本発明で使用する一般式（１）で表される色素の構造において、その１分子中に酸基が複数個含まれる場合は、その複数の酸基は塩型あるいは酸型であり互いに異なるものであっても良い。
【００８６】
本発明で使用する前記一般式（１）で示される水溶性色素は、例えば前出の特許文献８に記載の方法等、周知の方法に従って製造することができる。
【００８７】
［記録液］
次に、前記一般式（１）で表される水溶性色素と水を少なくとも含有する本発明の記録液について説明する。
【００８８】
記録液中における前記一般式（１）の水溶性色素の含有量としては、記録液全量に対して０．５重量％以上、特に２重量％以上が好ましい。また、８重量％以下、特に５重量％以下が好ましい。記録液からの色素析出、記録液の粘度上昇のおそれを低減させるためには、色素の含有量は少なめが好ましい。また、高品質の画像を得るためには、色素の含有量は多めが好ましい。
【００８９】
また、本発明の記録液には水以外の溶剤を含有していることが好ましく、この水以外の溶剤としては、水溶性有機溶剤として、例えばエチレングリコール、プロピレングリコール、ブチレングリコール、ジエチレングリコール、トリエチレングリコール、ポリエチレングリコール（＃２００）、ポリエチレングリコール（＃４００）、グリセリン、Ｎ−メチルピロリドン、Ｎ−エチルピロリドン、１，３−ジメチルイミダゾリジノン、チオジエタノール、ジメチルスルホキシド、エチレングリコールモノアリルエーテル、エチレングリコールモノメチルエーテル、ジエチレングリコールモノメチルエーテル、２−ピロリドン、スルホラン、エチルアルコール、イソプロパノール等が挙げられる。
【００９０】
これらの水溶性有機溶剤は、通常記録液の全量に対して１〜５０重量％の範囲で使用される。一方、水は記録液の全量に対して４５〜９５重量％の範囲で使用される。色素の溶解性を上げるためには、水溶性有機溶剤の含有量が多すぎず、水の含有量が少なすぎないことが望ましい。また、記録液の粘度や表面張力の調節をしやすくするためには、水溶性有機溶剤の含有量が少なすぎず、水の含有量が多すぎないことが望ましい。
【００９１】
本発明の記録液は、前記一般式（１）で表される水溶性色素、水及び必要に応じて配合される上記水溶性有機溶剤以外の成分を含有していても良く、例えば、本発明の記録液に、その全量に対して０．１〜１０重量％、好ましくは０．５〜５重量％の尿素、チオ尿素、ビウレット、セミカルバジドから選ばれる化合物を添加したり、０．００１〜５．０重量％の界面活性剤を添加することによって、印字後の速乾性及び印字品位をより一層改良することができる。
【００９２】
なお、本発明の記録液は、前記一般式（１）で表される水溶性色素以外の色素（以下「その他の色素」と称す。）を含有していても良く、その他の色素を含有する場合、記録液中の合計の色素含有量は、記録液全量に対して０．５重量％以上、特に２重量％以上が好ましく、８重量％以下、特に５重量％以下であることが好ましく、全色素量に対するその他の色素の割合は５０重量％以下、特に２５重量％以下であることが、本発明の効果を確実に得る上で好ましい。
【００９３】
本発明の記録液は、前記一般式（１）で表される水溶性色素と、水及び好ましくは更に水溶性有機溶剤と、必要に応じて配合されるその他の成分の所定量を混合して溶液とすることに容易に調製される。なお、この混合溶液は無機粒子等の不溶解分を除去するためにメンブランフィルター等で濾過し、また、吐出安定性を向上させるために脱気処理して使用に供することが好ましい。
【００９４】
［記録液の利用］
本発明の記録液セットは、このような本発明の記録液を含むものであり、例えば、本発明の記録液と、その他の水溶性色素ベースの記録液、又はカーボンブラックや有機顔料等の顔料ベースの記録液とで構成される。
本発明の記録方法は、このような本発明の記録液又は記録液セットを用いて記録するものであり、特にインクジェット記録に有効である。
本発明のインクカートリッジは、本発明の記録液が充填されたものである。
本発明のインクジェットプリンターは、本発明の記録液又は記録液セットが装填されたものである。
本発明の紙は、前記一般式（１）で表される水溶性色素を含むものであり、特に本発明の記録液又は記録液セットを用いて画像が印刷されたものである。
特にインクジェット写真画質印刷などに用いられる光沢紙であると、画質に優れ、かつ耐光性と耐オゾン性にも優れた記録画像が得られ、好ましい。
【実施例】
【００９５】
以下に実施例を挙げて本発明を更に詳細に説明するが、本発明はその要旨を超えない限り、何ら以下の実施例に限定されるものではない。
【００９６】
＜実施例１＞
オルフィンＥ１０１０（界面活性剤、日信化学工業より入手可能）２重量部、トリエチレングリコールモノブチルエーテル１１重量部、ジエチレングリコール１３重量部、グリセリン１２重量部、トリエタノールアミン０．８重量部、尿素１１重量部、表２の色素３重量部に水を加え、１Ｎ水酸化ナトリウム水溶液でｐＨを９に調整して全量を１００重量部とした。なお、この色素の水中（ｐＨ＝１０）での可視部最大吸収波長は、５４５ｎｍであった。この組成物を充分に混合して溶解し、孔径０．４５μｍのメンブレンフィルターで加圧濾過した後、超音波洗浄機で脱気処理して記録液を調製した。
【００９７】
得られた記録液を使用し、インクジェットプリンター（商品名ＢＪ  Ｆ８９０、キヤノン社製）を用いてインクジェット専用光沢紙（商品名ＰＭマット紙、セイコーエプソン社製）にインクジェット記録を行った。得られた印字物は、高彩度なマゼンタ色画像であった。
【００９８】
得られた印字物について、下記方法で耐オゾン性、耐光性の評価を行ったところ、表２に示す如く、いずれも良好な結果が得られた。
【００９９】
＜耐オゾン性の評価＞
得られた印字物を、４０℃、相対湿度５５％、オゾン濃度１０ｐｐｍの含オゾン空気に４時間曝露した。曝露前後の画像の変退色度合いを、測色装置（商品名スペクトロアイ、グレタグマクベス社製）にてΔＥ値の形で定量した。ここで、ΔＥ値は変退色の度合いを表す数値であり、数値が大きければ大きいほど、変退色度合いが大きい、即ち今回の評価においては耐オゾン性が劣ることを意味する。
【０１００】
＜耐光性の評価＞
キセノンウェザーオーメーターＣｉ４０００（アトラス試験機社製品）を用い、印字物に８０時間キセノン光を照射した。その後、その印字物の変色度合い（ΔＥ値）を、上述の測色装置にて測定した。上述の如く、ΔＥ値は変退色の度合いを表す数値であり、数値が大きければ大きいほど、変退色度合いが大きい、即ち今回の評価においては耐光性が劣ることを意味する。
【０１０１】
＜比較例１＞
色素と、「ＳＴＲ」部位を省いた形の表２に示す類似化合物に変更した他は、実施例１と同様にして記録液の調製、インクジェット記録、及び得られた印字物の評価を行ったところ、表２に示す通り、耐オゾン性、耐光性共に実施例１よりも劣る、不十分なものであった。
【０１０２】
＜比較例２＞
色素を、前記特許文献８の実施例４の化合物に変更した他は、実施例１と同様にして記録液の調製、インクジェット記録、及び得られた印字物の評価を行ったところ、表２に示す通り、耐オゾン性、耐光性ともに、比較例１よりは良いものの、実施例１に比べると劣るものであった。
【０１０３】
＜比較例３＞
色素を、表２に示すアゾ基含有化合物（特開２０００−１６３８号公報の実施例５の化合物）に変更した他は、実施例１と同様にして記録液の調製、インクジェット記録、及び得られた印字物の評価を行ったところ、表２に示す通り、耐オゾン性、耐光性共に実施例１よりも劣る、不十分なものであった。
【表２】
2006124475.tif 000010